(57)【要約】【課題】球形表面を所望の模様とすることができる組立て式貯金箱の製造方法を提供すること。【解決手段】球形の一部の外形を形成する６個の円弧片を作成する円弧片作成ステップと、円弧片製造ステップで作成した６個の円弧片を組み合わせて球形を形成する球形組立てステップと、球形組立てステップで形成した球形の一の半球に塗装用部材を配置する第１の塗装準備ステップと、第１の塗装準備ステップで配置した塗装用部材の表面に塗料を噴射する第１の塗装ステップと、球形組立てステップで形成した球形の他の半球に塗装用部材を配置する第２の塗装準備ステップと、第２の塗装準備ステップで配置した塗装用部材の表面に塗料を噴射する第２の塗装ステップと、を含み、塗装用部材は球形の半球部分を覆う半球形の球殻形状であり、複数の開口を有する。【選択図】図５
2018078983.tif 000002
【特許請求の範囲】
【請求項１】
中空であって球形の組立て式貯金箱の製造方法であって、
前記球形の一部の外形を形成する６個の円弧片を作成する円弧片作成ステップと、
前記円弧片製造ステップで作成した前記６個の円弧片を組み合わせて球形を形成する球形組立てステップと、  
前記球形組立てステップで形成した前記球形の一の半球に塗装用部材を配置する第１の塗装準備ステップと、  
前記第１の塗装準備ステップで配置した前記塗装用部材の表面に塗料を噴射する第１の塗装ステップと、  
前記球形組立てステップで形成した前記球形の他の半球に前記塗装用部材を配置する第２の塗装準備ステップと、  
前記第２の塗装準備ステップで配置した前記塗装用部材の表面に塗料を噴射する第２の塗装ステップと、  
を含み、
前記塗装用部材は、前記球形の半球部分を覆う半球形の球殻形状であり、複数の開口を有し、
前記第１の塗装ステップと前記第２の塗装ステップは、複数の前記開口を通過した前記塗料で前記球形の表面に所望の模様を形成する、
ことを特徴とする組立て式貯金箱の製造方法。
【請求項２】
複数の前記開口は野球ボールの縫い目模様の輪郭に対応する複数の貫通孔であり、
前記所望の模様は野球ボールの表面模様である、
ことを特徴とする、請求項１に記載の野球ボールを模した組立て式貯金箱の製造方法。
【請求項３】
複数の前記開口は西瓜の表面の黒線模様の輪郭に対応する複数の貫通孔であり、
前記所望の模様は西瓜の表面模様である、
ことを特徴とする、請求項１に記載の西瓜を模した組立て式貯金箱の製造方法。
【請求項４】
複数の前記開口はバスケットボールの縫い目模様の輪郭に対応する複数の貫通孔であり、
前記所望の模様はバスケットボールの表面模様である、
ことを特徴とする、請求項１に記載のバスケットボールを模した組立て式貯金箱の製造方法。
【請求項５】
請求項１乃至請求項４のいずれか一項に記載の組立て式貯金箱の製造方法で製造した組立て式貯金箱。
【発明の詳細な説明】
【技術分野】
【０００１】
本発明は、中空であって球形の組立て式貯金箱の製造方法及びその製造方法で製造した組立て式貯金箱に関する。
【背景技術】
【０００２】
特許文献１には、略同じ形状の６個の分割片を相互に組み合わせてなる球形の組立式貯金箱であって、各分割片は、くびれ部およびその両側に連続して広がる左右の拡大部からなる外表面と、くびれ部を挟む両側に形成された平坦な掛止面とを具備しており、少なくとも１組の分割片にはそれらの片側の掛止面に他の分割片の拡大部が通過可能な凹部をそれぞれ形成してあり、１個の分割片のくびれ部にはコイン投入口を設けてあり、各分割片の拡大部を隣接する分割片の掛止面に重ね合わせてあることを特徴とする球形の組立式貯金箱に関する技術を開示している。
【先行技術文献】
【特許文献】
【０００３】
【特許文献１】実開平６‐３３５１７号公報
【発明の概要】
【発明が解決しようとする課題】
【０００４】
しかしながら、特許文献１に開示されている技術では、ボールや球形の果物を模した貯金箱の製造方法に関する技術の記載がない。
【０００５】
本発明は、中空であって球形の組立て式貯金箱の製造方法であって、球形表面を所望の模様とすることができる組立て式貯金箱の製造方法を提供することを目的とする。また、本発明は、上記の製造方法で製造した組立て式貯金箱を提供することを目的とする。
【課題を解決するための手段】
【０００６】
上記課題を解決するために、本発明の一つの実施形態は、中空であって球形の組立て式貯金箱の製造方法であって、前記球形の一部の外形を形成する６個の円弧片を作成する円弧片作成ステップと、前記円弧片製造ステップで作成した前記６個の円弧片を組み合わせて球形を形成する球形組立てステップと、前記球形組立てステップで形成した前記球形の一の半球に塗装用部材を配置する第１の塗装準備ステップと、前記第１の塗装準備ステップで配置した前記塗装用部材の表面に塗料を噴射する第１の塗装ステップと、前記球形組立てステップで形成した前記球形の他の半球に前記塗装用部材を配置する第２の塗装準備ステップと、前記第２の塗装準備ステップで配置した前記塗装用部材の表面に塗料を噴射する第２の塗装ステップと、を含み、前記塗装用部材は、前記球形の半球部分を覆う半球形の球殻形状であり、複数の開口を有し、前記第１の塗装ステップと前記第２の塗装ステップは、複数の前記開口を通過した前記塗料で前記球形の表面に所望の模様を形成する、ことを特徴とする組立て式貯金箱の製造方法を提供する。
【０００７】
本発明の他の実施形態は、上記の組立て式貯金箱の製造方法であって、複数の前記開口は野球ボールの縫い目模様の輪郭に対応する複数の貫通孔であり、前記所望の模様は野球ボールの表面模様である、ことを特徴とする野球ボールを模した組立て式貯金箱の製造方法であってもよい。また、本発明の他の実施形態は、上記の組立て式貯金箱の製造方法であって、複数の前記開口は西瓜の表面の黒線模様の輪郭に対応する複数の貫通孔であり、前記所望の模様は西瓜の表面模様である、ことを特徴とする西瓜を模した組立て式貯金箱の製造方法であってもよい。また、本発明の他の実施形態は、上記の組立て式貯金箱の製造方法であって、複数の前記開口はバスケットボールの縫い目模様の輪郭に対応する複数の貫通孔であり、前記所望の模様はバスケットボールの表面模様である、ことを特徴とするバスケットボールを模した組立て式貯金箱の製造方法であってもよい。
【０００８】
本発明の他の実施形態は、上記のいずれか１つの組立て式貯金箱の製造方法で製造した組立て式貯金箱であってもよい。
【発明の効果】
【０００９】
本発明に係る組立て式貯金箱の製造方法またはその製造方法で製造した組立て式貯金箱によれば、球形表面を所望の模様とすることができる。
【図面の簡単な説明】
【００１０】
【図１】本発明の実施形態に係る組立て式貯金箱の一例を説明する説明図である。
【図２】本発明の実施形態に係る組立て式貯金箱の６個の円弧片の組み立て状態の例を説明する説明図である。
【図３】本発明の実施形態に係る組立て式貯金箱の一例を説明する説明図である。
【図４】本発明の実施形態に係る組立て式貯金箱の６個の円弧片の組み立て方法を説明する説明図である。
【図５】本発明の実施形態に係る組立て式貯金箱の製造方法を説明するフローチャート図である。
【図６】本発明の実施形態に係る組立て式貯金箱の製造に用いる塗装用部材の一例を説明する説明図である。
【発明を実施するための形態】
【００１１】
実施形態に係る組立て式貯金箱の製造方法の例を用いて、本発明を説明する。なお、本発明は、以後に説明する組立て式貯金箱の製造方法以外でも、ボール、果物その他球形の物体の球形表面を模した貯金箱であれば、いずれのものにも用いることができる。なお、貯金箱の素材は、貯金する硬貨を保持することができる強度を有するものであれば特に限定されない。また、貯金箱の色は、透明、半透明、色付きのものであってもよい。更に、貯金箱の色は、説明書きを付記したもの、使用者（消費者）の趣味趣向に合わせた柄のものであってもよい。貯金箱の後述する円弧片の隅部は、角ばっていてもよく、丸みを帯びていてもよい。
【００１２】
以後に、本発明を説明する。
【００１３】
図１乃至図６を用いて、本発明の実施形態に係る組立て式貯金箱の製造方法の構成を説明する。ここで、図１（ａ）は、本発明の実施形態に係る野球ボールの組立て式貯金箱１００Ｕａの一例を説明する説明図である。図１（ｂ）は、本発明の実施形態に係る西瓜の組立て式貯金箱１００Ｕｂの一例を説明する説明図である。図１（ｃ）は、本発明の実施形態に係るバスケットボールの組立て式貯金箱１００Ｕｃの一例を説明する説明図である。図２は、本発明の実施形態に係る組立て式貯金箱１００Ｍの６個の円弧片１１〜１６の組み立て状態の例を説明する説明図である。図３（ａ）は、本発明の実施形態に係る組立て式貯金箱１００Ｍの一例を説明する平面図である。図３（ｂ）は、本発明の実施形態に係る組立て式貯金箱１００Ｍの一例を説明する背面図である。図３（ｃ）は、本発明の実施形態に係る組立て式貯金箱１００Ｍの一例を説明する右側面図である。図３（ｄ）は、本発明の実施形態に係る組立て式貯金箱１００Ｍの一例を説明する底面図である。図４は、本発明の実施形態に係る組立て式貯金箱１００Ｍの６個の円弧片の組み立て方法を説明する説明図である。なお、図１等に示す組立て式貯金箱の構成等は一例であり、本発明は図１等に示す組立て式貯金箱等に限定されるものではない。
【００１４】
図１（ａ）乃至図１（ｃ）に示すように、本発明に係る組立て式貯金箱１００Ｕａ乃至１００Ｕｃは、中空であって球形の組立て式貯金箱である。組立て式貯金箱１００Ｕａは、図１（ａ）に示すように、野球ボールの縫い目模様Ｓａの表面模様を有する貯金箱である。組立て式貯金箱１００Ｕｂは、図１（ｂ）に示すように、西瓜の表面の黒線模様の表面模様を有する貯金箱である。組立て式貯金箱１００Ｕｃは、図１（ｃ）に示すように、バスケットボールの縫い目模様の表面模様を有する貯金箱である。
【００１５】
図２に示すように、組立て式貯金箱１００Ｍは、球形の一部の外形を形成する６個の円弧片１１乃至１６を組み合わせて、球形の貯金箱を形成する。組立て式貯金箱１００Ｍは、本実施形態では、円弧片１１に硬貨挿入口１１ａを備える。また、図３（ａ）乃至図３（ｄ）に示すように、貯金箱１００Ｍは、組立て後に球形となるように組み立てる。具体的には、貯金箱１００Ｍは、図４に示すように、円弧片１１をＭ１方向に配置し、円弧片１２をＭ２方向に配置し、円弧片１３をＭ３方向に配置し、円弧片１４をＭ４方向に配置し、円弧片１５をＭ５方向に配置し、円弧片１６をＭ６方向に配置して組み立てる。なお、６個の円弧片１１乃至１６の作成方法は、公知の技術を用いることができる。
【００１６】
図５および図６を用いて、組立て式貯金箱の製造方法を説明する。ここで、図５は、本発明の実施形態に係る組立て式貯金箱の製造方法を説明するフローチャート図である。図６（ａ）は、本発明の実施形態に係る野球ボールの組立て式貯金箱（図１（ａ））の製造に用いる塗装用部材２０Ｕａの一例を説明する説明図である。図６（ｂ）は、本発明の実施形態に係る西瓜の組立て式貯金箱（図１（ｂ））の製造に用いる塗装用部材２０Ｕｂの一例を説明する説明図である。図６（ｃ）は、本発明の実施形態に係るバスケットボールの組立て式貯金箱（図１（ｃ））の製造に用いる塗装用部材２０Ｕｃの一例を説明する説明図である。なお、図５等に示す組立て式貯金箱の製造方法等は一例であり、本発明は図５等に示す組立て式貯金箱の製造方法等に限定されるものではない。
【００１７】
図５に示すように、本発明に係る組立て式貯金箱の製造方法は、ステップＳ５０１において、先ず、組立て式貯金箱の製造する動作を開始する。組立て式貯金箱の製造方法は、例えば製造者・製造社の都合のよいタイミングで、組立て式貯金箱の製造する動作を開始することができる。その後、本発明に係る組立て式貯金箱の製造方法は、ステップＳ５０２に進む。
【００１８】
次に、本発明に係る組立て式貯金箱の製造方法は、ステップＳ５０２において、例えば製造者・製造社の担当者によって、６個の円弧片（例えば図４の１１乃至１６）を作成する（円弧片作成ステップ）。その後、本発明に係る組立て式貯金箱の製造方法は、ステップＳ５０３に進む。なお、円弧片は例えば金型を利用して作成してもよし、その他の公知の方法で作成してもよい。
【００１９】
次いで、本発明に係る組立て式貯金箱の製造方法は、ステップＳ５０３において、ステップＳ５０２で作成した６個の円弧片を組み立てて、球形を形成する（球形組立てステップ）。具体的には、本発明に係る組立て式貯金箱の製造方法は、例えば図４に示すように球形に組み立てる。その後、本発明に係る組立て式貯金箱の製造方法は、ステップＳ５０４に進む。
【００２０】
本発明に係る組立て式貯金箱の製造方法は、ステップＳ５０４において、塗装準備として、ステップＳ５０３で組み立てた球形の貯金箱の一の半球に塗装用部材（図６（ａ）、図６（ｂ）または図６（ｃ））を配置する（第１の塗装準備ステップ）。ここで、塗装用部材とは、球形の半球部分を覆う半球形の球殻形状であり、複数の開口を有する部材である。その後、本発明に係る組立て式貯金箱の製造方法は、ステップＳ５０５に進む。
【００２１】
図６（ａ）に示すように、塗装用部材２０Ｕａは、野球ボールの組立て式貯金箱の製造に用いる部材である。塗装用部材２０Ｕａの複数の開口Ｃａは、野球ボールの縫い目模様（図１（ａ）のＳａ）の輪郭に対応する複数の貫通孔である。図６（ｂ）に示すように、塗装用部材２０Ｕｂは、西瓜の組立て式貯金箱の製造に用いる部材である。塗装用部材２０Ｕｂの複数の開口Ｃｂは、西瓜の表面の黒線模様（図１（ａ）のＳｂ）の輪郭に対応する複数の貫通孔である。図６（ｃ）に示すように、塗装用部材２０Ｕｃは、バスケットボールの組立て式貯金箱の製造に用いる部材である。塗装用部材２０Ｕｃの複数の開口Ｃｃは、バスケットボールの縫い目模様（図１（ａ）のＳｃ）の輪郭に対応する複数の貫通孔である。また、塗装用部材２０Ｕｃの保持部材Ｃｄは、複数の開口Ｃｃで分断された部材を連結するものである。なお、本発明に係る組立て式貯金箱の製造は、塗装用部材の複数の開口を通過した塗料で球形の表面に所望の模様を形成する。
【００２２】
ステップＳ５０５において、本発明に係る組立て式貯金箱の製造方法は、ステップ５０４で配置した塗装用部材の表面に塗料を噴射する（第１の塗装ステップ）。これにより、本発明に係る組立て式貯金箱の製造方法は、球形の貯金箱の半球面に、塗装用部材（２０Ｕａ、２０Ｕｂまたは２０Ｕｃ）の複数の開口（Ｃａ、ＣｂまたはＣｃ）の形状に対応する所望の模様を形成することができる。その後、本発明に係る組立て式貯金箱の製造方法は、ステップＳ５０６に進む。
【００２３】
本発明に係る組立て式貯金箱の製造方法は、ステップＳ５０６において、塗装準備として、ステップＳ５０３で組み立てた球形の貯金箱の他の半球に塗装用部材（図６（ａ）、図６（ｂ）または図６（ｃ））を移動する（第２の塗装準備ステップ）。その後、本発明に係る組立て式貯金箱の製造方法は、ステップＳ５０７に進む。
【００２４】
ステップＳ５０７において、本発明に係る組立て式貯金箱の製造方法は、ステップ５０６で配置した塗装用部材の表面に塗料を噴射する（第２の塗装ステップ）。これにより、本発明に係る組立て式貯金箱の製造方法は、球形の貯金箱の他の半球面に、塗装用部材（２０Ｕａ、２０Ｕｂまたは２０Ｕｃ）の複数の開口（Ｃａ、ＣｂまたはＣｃ）の形状に対応する所望の模様を形成することができる。すなわち、本発明に係る組立て式貯金箱の製造方法は、貯金箱の球面全面に、塗装用部材（２０Ｕａ、２０Ｕｂまたは２０Ｕｃ）を用いて、塗装用部材の複数の開口（Ｃａ、ＣｂまたはＣｃ）の形状に対応する所望の模様を形成することができる。その後、本発明に係る組立て式貯金箱の製造方法は、ステップＳ５０７に進む。
【００２５】
ステップＳ５０８において、本発明に係る組立て式貯金箱の製造方法は、組立て式貯金箱の製造する動作を繰り返すか否かを判断する。これにより、本発明に係る組立て式貯金箱の製造方法は、所望の個数の組立て式貯金箱を製造することができる。その後、組立て式貯金箱の製造する動作を繰り返すと判断した場合には、本発明に係る組立て式貯金箱の製造方法は、ステップＳ５０３に戻る。組立て式貯金箱の製造する動作を終了すると判断した場合には、本発明に係る組立て式貯金箱の製造方法は、図中の「ＥＮＤ」に進み、動作を終了する。
【００２６】
以上のとおり、本発明に係る組立て式貯金箱の製造方法は、所望の個数の組立て式貯金箱を製造することができる。また、本発明に係る組立て式貯金箱の製造方法は、球形表面を所望の模様とすることができる。
【００２７】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００２８】
１００Ｍ，１００Ｕａ，１００Ｕｂ，１００Ｕｃ：  組立て式貯金箱
１１，１２，１３，１４，１５，１６：  円弧片
１１ａ：  硬貨挿入口
２０Ｕａ，２０Ｕｂ，２０Ｕｃ：  塗装用部材
Ｃａ：  開口（野球ボールの縫い目模様の輪郭に対応する貫通孔）
Ｃｂ：  開口（西瓜の表面の黒線模様の輪郭に対応する貫通孔）
Ｃｃ：  開口（バスケットボールの縫い目模様の輪郭に対応する貫通孔）
Ｃｄ：  保持部材
Ｓａ：  野球ボールの縫い目模様
Ｓｂ：  西瓜の表面の黒線模様
Ｓｃ：  バスケットボールの縫い目模様
【図１】
2018078983.tif 000003
【図２】
2018078983.tif 000004
【図３】
2018078983.tif 000005
【図４】
2018078983.tif 000006
【図５】
2018078983.tif 000007
【図６】
2018078983.tif 000008